(57)【要約】 【課題】  被搬送物の車両等による運搬中においても、その振動等による仕切り板の上下方向へのズレや移動、さらには仕切り板が外れてしまうことがなく、したがって被搬送物同士が干渉することも、被搬送物を傷付けたり、破損させる恐れもない運搬容器用仕切り具を提供すること。【解決手段】  縦仕切り板１と横仕切り板２とが互いに直交して嵌り合うように、前記縦仕切り板１には上縁から下方に向かって切り込み１０が形成され、前記横仕切り板２には下縁から上方に向かって切り込み２０が形成され、前記縦仕切り板１と横仕切り板２を組み合わせた状態で運搬容器C内に配置する運搬容器用仕切り具において、横仕切り板の上面および下面がそれぞれ当接する当接面を有する押さえ具３をさらに具備することとしている。【選択図面】  図１
0003121924.tif 000002
【実用新案登録請求の範囲】
【請求項１】
縦仕切り板と横仕切り板とが互いに直交して嵌り合うように、前記縦仕切り板には上縁から下方に向かって切り込みが形成され、前記横仕切り板には下縁から上方に向かって切り込みが形成され、前記縦仕切り板と横仕切り板を組み合わせた状態で運搬容器内に配置する運搬容器用仕切り具において、横仕切り板の上面および下面がそれぞれ当接する当接面を有する押さえ具をさらに具備することを特徴とする運搬容器用仕切り具。
【請求項２】
前記押さえ具を、少なくとも側面、底面からなる断面略Ｌ字状の一対の押さえ具からなるものとし、前記側面には横仕切り板を挿入する挿入孔が設けられていることを特徴とする請求項１記載の運搬容器用仕切り具。
【請求項３】
前記押さえ具を底面とその両端に立設する側面からなる断面横コ字状の押さえ具としていることを特徴とする請求項１記載の運搬容器用仕切り具。
【考案の詳細な説明】
【技術分野】
【０００１】
この考案は、テンショナ等の運搬容器用の仕切り具に関し、より詳しくは、運搬中に仕切り板が外れることがない仕切り具に関するものである。
【背景技術】
【０００２】
従来から、運搬容器内を、縦、横に複数に仕切るために、縦仕切り板１と横仕切り板２とを組み合わせた仕切り具が使用されており、図９に示すように、上記縦仕切り板１には上向きの切り込み１０が、また上記横仕切り板２には下向きの切り込み２０が、それぞれ形成されており、縦仕切り板１と横仕切り板２を嵌め合わせた状態で運搬容器Ｃ内に収容するようにしている。
【０００３】
また、上記縦仕切り板１と、横仕切り板２との直交状態をしっかりと保ち、内容物をしっかりと保護するため、縦仕切り板１の両端部に、縦仕切り板１と横仕切り板２を嵌め合わせた状態で、縦仕切り板１に対して直角となるように横仕切り板２の外面に重なる屈曲壁が形成され、また、横仕切り板２の両端部に、縦仕切り板１と横仕切り板２を嵌め合わせた状態で、横仕切り板２に対して直角となるように縦仕切り板１の外面に重なる屈曲壁が、それぞれ形成されたものが存在する（例えば、特許文献１の図２）。
【０００４】
さらに、仕切り板の容器本体からの外れを防止するため、容器本体の側壁部に深さの半分程度の装着溝を設けるとともに、装着溝の下部に係止片を突出させ、また対応する仕切り板に前記側壁部の装着溝に凹凸嵌合される膨出片を形成したものが存在する（例えば、特許文献２の図１）。
【０００５】
さらにまた、机の引き出し内に配置して、筆記具や消しゴムなどの文房具類を適当に仕分けして収容する仕切り材を備えたトレイにおいて、仕切り材をしっかりと固定するとともに収容対象物の損傷等を防止するため、トレイの周壁部分に係合可能となる一対の係合部材を設けるとともに、これら係合部材間を伸縮可能な仕切面部材で相互に連結するようにしたものが存在する（例えば、特許文献３の図１）。
【０００６】
しかしながら、上記のような従来の運搬容器用仕切り具では、仕切り板を切り込みや溝に、上方から嵌め合わせるようにしているため、装着が容易である反面、被搬送物の車両等による運搬中における振動や被搬送物の仕切り板への衝撃により、横仕切り板の上方向へのズレや移動が生じたり、さらには外れてしまう場合があった。また、横仕切り板のズレにより、横仕切り板によって押さえられている縦仕切り板にもズレや移動が生じてしまう場合があった。このような場合、仕切り板としての役割が果たせず、被搬送物同士が干渉し、被搬送物を傷付けたり、破損させる恐れがあるという問題を有していた。
【特許文献１】特開２００１−１６３３３８号公報  （図１および図２参照）
【特許文献２】特開平１０−１６９８１号公報  （図１参照）
【特許文献３】実開平６−３８４３号公報  （図１参照）
【考案の開示】
【考案が解決しようとする課題】
【０００７】
そこでこの考案では、被搬送物の車両等による運搬中においても横仕切り板の上方向へのズレや移動が生じたり、外れることがなく、したがって縦仕切り板のズレ等も防止でき、さらには被搬送物同士が干渉することも、被搬送物を傷付けたり、破損させる恐れもない運搬容器用仕切り具を提供することを課題とする。
【課題を解決するための手段】
【０００８】
この考案の運搬容器用仕切り具は、上記の課題を解決するため、縦仕切り板と横仕切り板とが互いに直交して嵌り合うように、前記縦仕切り板には上縁から下方に向かって切り込みが形成され、前記横仕切り板には下縁から上方に向かって切り込みが形成され、前記縦仕切り板と横仕切り板を組み合わせた状態で運搬容器内に配置する運搬容器用仕切り具において、横仕切り板の上面および下面がそれぞれ当接する当接面を有する押さえ具をさらに具備することを特徴とするものである。
【０００９】
この考案の運搬容器用仕切り具は、上記のように、横仕切り板の上面および下面がそれぞれ当接する当接面を有する押さえ具をさらに具備しているため、横仕切り板は押さえ具によりしっかりと保持され、被搬送物の車両等による運搬中においても横仕切り板の上方向へのズレや移動の発生、さらには横仕切り板が外れてしまうことを防止することができる。なお、横仕切り板が押さえ具によってしっかりと保持されたことにより、縦仕切り板のズレや移動も防止される。
【００１０】
また、前記押さえ具を、少なくとも側面、底面からなる断面略Ｌ字状の一対の押さえ具からなるものとし、前記側面に横仕切り板を挿入する挿入孔を設けたものとすることができる。この場合、押さえ具の底面に被搬送物を載せることにより被搬送物自体の重さによって押さえ具がしっかりと固定されることとなり、運搬中においても横仕切り具が上方向にズレたり、外れてしまうことを防止できる。また、Ｌ字状の底面部分の存在により、押さえ具は支えを必要とせず独立して立つことが可能となり、これにより仕切り板と押さえ具の嵌め合わせが容易になる。
【００１１】
さらに、前記押さえ具を底面とその両端に立設する側面からなる断面横コ字状の押さえ具とすることができる。この場合にも底面上に載せられた被搬送物自体の重さによって押さえ具と仕切り具がしっかりと固定されることとなり、運搬中においても仕切り具が上下方向にズレたり、外れてしまうことを防止できる。しかも、上記のように押さえ具をL字状とした場合に比べて、底面部に載せられる被搬送物が多くなるためそれだけ重さも増し、より一層運搬中の仕切り板の上下方向へのズレ等が防止される。また、一枚の平板を断面横コ字状に折り曲げて成形できるため製作が容易になる。さらに、前記Ｌ字状の場合と同様、押さえ具が支えを必要とせず独立して立つことが可能となり、これにより仕切り板と押さえ具の嵌め合わせが容易になる。
【考案の効果】
【００１２】
以上のように、この考案に係る運搬容器用仕切り具は、縦仕切り板と横仕切り板とが互いに直交して嵌り合うように、前記縦仕切り板には上縁から下方に向かって切り込みが形成され、前記横仕切り板には下縁から上方に向かって切り込みが形成され、前記縦仕切り板と横仕切り板を組み合わせた状態で運搬容器内に配置する運搬容器用仕切り具において、横仕切り板の上面および下面がそれぞれ当接する当接面を有する押さえ具をさらに具備しているため、被搬送物の車両等による運搬中における振動等に起因する縦仕切り板と横仕切り板の相対的な上下方向へのズレや外れを防止でき、したがって被搬送物同士が干渉することも、被搬送物を傷付けたり、破損させることもない。
【考案を実施するための最良の形態】
【００１３】
以下にこの考案の運搬容器用仕切り具を実施するための最良の形態としての実施例について詳細に説明する。
【実施例１】
【００１４】
図１はこの考案の実施例１における運搬容器用仕切り具の分解斜視図、図２は押さえ具を横仕切り板に嵌め合わせる前の斜視図、図３は押さえ具を横仕切り板に嵌め合わせた状態の斜視図、図４は図３のＡ−Ａにおける断面図、図５は本実施例における押さえ具と横仕切り板との嵌め合わせを示す一部拡大斜視図、図６はこの考案の運搬容器用仕切り具を運搬容器内に設置した状態を示す斜視図である。
【００１５】
この考案の運搬容器用仕切り具は、４枚の縦仕切り板１と、５枚の横仕切り板２と、これら仕切り板の相対的な上下方向へのズレ等を防止する一対の押さえ具３、３との組合わせとからなる。
【００１６】
図１に示されるように、上記４枚の縦仕切り板１のそれぞれには、５枚の横仕切り板２が縦仕切り板１に直交して嵌り合うように、適宜間隔で切り込み１０が５本設けられている。
【００１７】
前記切り込み１０は、縦仕切り板１の上縁から下方に向かって縦仕切り板１の略中間位置まで延びている。また、前記切り込み１０の幅は、組み合わされる横仕切り板２の幅と同じかそれよりも僅かに小さく設定することにより、適度な摩擦による安易なズレを防止すると共に、嵌め合わせを容易に行えるようにしている。
【００１８】
また、上記５枚の横仕切り板２のそれぞれには、４枚の縦仕切り板１が横仕切り板２に直交して嵌り合うように、適宜間隔で切り込み２０が４本設けられている。
【００１９】
前記切り込み２０は、横仕切り板２の下縁から上方に向かって横仕切り板２の略中間位置まで延びている。前記切り込み２０の幅も、上記した縦仕切り板１の切り込み１０と同様、組み合わされる縦仕切り板１の幅と同じかそれよりも僅かに小さく設定することにより、適度な摩擦による安易なズレを防止すると共に、嵌め合わせを容易に行えるようにしている。
【００２０】
なお、縦仕切り板１に設けられた５本の切り込み１０の相互間の幅と、横仕切り板２に設けられた４本の切り込み２０の相互間の幅とが、同じ長さに設定されているため、図２に示すように、縦仕切り板１と横仕切り板２を組み合わせた状態で、正方形の収納室が合計１２室設けられる。また、この状態の時、縦仕切り板１と横仕切り板２の両端部には、前記収納室を構成せず両サイドの仕切り板から突き出た突出部Ｐが設けられる。
【００２１】
ここで、本実施形態においては、縦仕切り板１を４枚、横仕切り板２を５枚とし、それぞれに設けられた切り込み１０、２０の相互間の幅を同じ長さとして正方形の収納室を設けることとしたが、これに限られたものではなく、目的や用途、被搬送物や運搬容器Ｃ（図６参照）の形状等に応じて適時変更することができる。
【００２２】
上記一対の押さえ具３は、図１および図２に示すように、それぞれ上面と側面と底面の３面からなり、一枚の平板を断面略Ｌ字形状に折り曲げて形成することができる。
【００２３】
本実施形態においては、前記押さえ具３の側面には、５枚の横仕切り板２のうちの真ん中の３枚を挿入するための挿入孔３０が適宜間隔で３つ設けられている。なお、挿入孔３０の数に関してはこれに限られるものではなく、５枚の横仕切り板２が全部挿入できるように、挿入孔３０を５つ設けてもよい。これにより、両サイドにある横仕切り板２の横方向へのズレや、縦仕切り板１からの抜けをさらに確実に防止できる。
【００２４】
前記押さえ具３の底面は、少なくとも被搬送物の一部を載せることができる程度の長さに設定されている。このように被搬送物を底面に載せることにより、被搬送物の重さによって押さえ具３はしっかりと固定されるとともに、横仕切り板２の上方向へのズレや移動を防止できる。
【００２５】
上記押さえ具３の上面は、上記底面とは逆方向となる外側に向かって折り曲げられた態様をしており、図４及び図５に示すように、組み合わされたときに上記した横仕切り板２の突出部Ｐを覆うように設定されている。
【００２６】
ここで挿入孔３０の寸法については、その高さは挿入される横仕切り板２の高さと同じに設定され、その幅は横仕切り板２と同じかそれよりも僅かに大きく設定されている。つまり、図４及び図５に示すように、挿入孔３０の上端部は前記押さえ具３の上面により構成され、挿入孔３０の下端部は押さえ具３の底面により構成されており、横仕切り板２が挿入された場合には押さえ具３の上面が横仕切り板２の上面と当接する当接面Tとなり、上方向へのズレや移動が防止される。
【００２７】
以上のように、４枚の縦仕切り板１と５枚の横仕切り板２をそれぞれの切り込み１０、２０において嵌め合わせた状態で、対向した一対の押さえ具３、３を縦仕切り板１の両サイドから挟み込むように横仕切り板２の突出部Ｐと挿入孔３０を嵌め合わせ、これを図６に示すように運搬容器Ｃ内に設置することにより、運搬容器内は１２室に仕切られ、１２個の被搬送物を互いに干渉させることなく運搬できるとともに、運搬中における縦仕切り板１および横仕切り板２の相対的な上下方向へのズレや移動を防止できることとなる。
【００２８】
なお、上記縦仕切り板１および横仕切り板２、押さえ具３の材質としては、プラスチックダンボールを使用することができる。プラスチックダンボールは、シート上の断面が空洞状態(ストロー状）になっているいわゆる中空構造を特徴としており、この中空構造によって、全体の比重が非常に小さくなり、耐圧性、耐久性、耐水性、断熱性、軽量化などの効果を発揮する。また、この中空構造により、加工（引っ張り・熱曲げ等）が簡単になり、押さえ具３の折り曲げなどが容易となる。
【実施例２】
【００２９】
押さえ具３については、図７に示すように、実施例１のような上面を設けることなく、挿入孔３０の高さを実施例１のそれよりも低く設定するようにしてもよい。挿入孔３０の高さを低くすることにより、横仕切り板２の上面が当接する当接面Tが設けられる。ただし、挿入孔３０の高さを変更したため、横仕切り板２を挿入孔３０に嵌め合わせることができるように横仕切り板２の突出部Ｐの上部を切り取る必要がある。このような構成とすることにより、挿入孔３０と横仕切り板２との嵌め合わせが可能となり、さらに挿入孔３０の上端部と突出部Ｐの切り取り部とが引っ掛かり横仕切り板２の上方へのズレや移動が防止される。
【００３０】
さらに上記実施例１においては、同一形状の２つの押さえ具３、３を一対として押さえ具を構成しているが、押さえ具３を１つの部材からなるものとすることもできる。例えば、図８に示すように、一枚の平板を底面とその両端に立設する側面とからなる断面横コ字状に折り曲げて形成することが可能である。この場合、底面部分が緩衝材としての役割を果たし、被搬送物の損傷を防止できる。
【００３１】
さらにまた、横仕切り板２の「押さえ」については、押さえ具３に設けられた挿入孔３０との嵌め合わせによるものとはせず、例えば押さえ具３の側面に横仕切り板の上面および下面がそれぞれ当接する当接面を有する保持部材（図示せず）を別途に設けるものとしてもよい。
【図面の簡単な説明】
【００３２】
【図１】この考案の実施例１における運搬容器用仕切り具の分解斜視図。
【図２】押さえ具を横仕切り板に嵌め合わせる前の斜視図。
【図３】押さえ具を横仕切り板に嵌め合わせた状態の斜視図。
【図４】図３のＡ−Ａにおける断面図。
【図５】押さえ具と横仕切り板との嵌め合わせを示す一部拡大斜視図。
【図６】この考案の実施例１における運搬容器用仕切り具を運搬容器内に設置した状態を示す斜視図。
【図７】この考案の他の実施例における押さえ具と横仕切り板との嵌め合わせを示す一部拡大斜視図。
【図８】この考案の他の実施例における断面図。
【図９】従来の運搬容器用仕切り具の斜視図。
【符号の説明】
【００３３】
１      縦仕切り板
２      横仕切り板
３      押さえ具
１０    切り込み
２０    切り込み
３０    挿入孔
Ｐ      突出部
Ｔ      当接面
Ｃ      運搬容器
【図１】
0003121924.tif 000003
【図２】
0003121924.tif 000004
【図３】
0003121924.tif 000005
【図４】
0003121924.tif 000006
【図５】
0003121924.tif 000007
【図６】
0003121924.tif 000008
【図７】
0003121924.tif 000009
【図８】
0003121924.tif 000010
【図９】
0003121924.tif 000011